(57)【要約】【課題】係合部の大きさの自由度を向上し、且つ販促品乃至景品の収容スペースを確保しつつ、缶の口金のほぼ全周にわたる係合部を形成可能とすることによって缶に確実に取付けることのできるキャップを提供する。【解決手段】薄肉のヒンジを介して繋がる一体成型された一対の揺動部を備えている。そして、前記一対の揺動部には、缶の口金の略半周部分にそれぞれ係合する一対の係合部が形成されるとともに、前記一対の係合部が円形に組み合わされた状態でこれら揺動部同士を固定可能な固定部が形成されている。そして更に、前記ヒンジと前記円形に組み合わされた係合部との間の位置に物品を収容可能に構成されている。【選択図】図２
2008265845.tif 000002
【特許請求の範囲】
【請求項１】
薄肉のヒンジを介して繋がる一体成型された一対の揺動部を備えてなり、
前記一対の揺動部には、缶の口金の略半周部分にそれぞれ係合する一対の係合部が形成されるとともに、前記一対の係合部が円形に組み合わされた状態でこれら揺動部同士を固定可能な固定部が形成され、
前記ヒンジと前記円形に組み合わされた係合部との間の位置に物品を収容可能に構成された、キャップ。
【請求項２】
請求項１において、
前記揺動部は、前記円形に組み合わされた一対の係合部の接合箇所からそれぞれ前記ヒンジまでの間に枠部を備え、この一対の枠部の間に、前記物品を収容する容器を挟んでなる、キャップ。
【発明の詳細な説明】
【技術分野】
【０００１】
本発明は飲料などの缶に取付けるキャップであって、飲料の販促品乃至景品を収容可能なキャップに関する。
【背景技術】
【０００２】
飲料などの缶に販促品乃至景品を取付けて販売することは既に知られている。例えば本出願人の出願に係る特開２００７−７６６９５号公報は、缶に取付ける台座部と、台座部に取付ける蓋部とを有する容器であって、前記蓋部が前記台座部に嵌まることにより前記台座部の係合部が缶に係合するものを開示している。
【特許文献１】特開２００７−７６６９５号公報
【発明の開示】
【発明が解決しようとする課題】
【０００３】
上記特開２００７−７６６９５号公報は、係合部の大きさの自由度を向上し、缶に確実に取付けることができる等の点で極めて優れたものであるが、缶の口金の全周にわたる係合部を作成しようとすると、販促品乃至景品の収容スペースが狭くなるなど、設計上の支障が出るという問題があった。
【０００４】
本発明は、係合部の大きさの自由度を向上した上記特開２００７−７６６９５号公報の利点をそのまま維持し、且つ販促品乃至景品の収容スペースを確保しつつ、缶の口金のほぼ全周にわたる係合部を形成可能とすることによって缶に確実に取付けることのできるキャップを提供することを目的とする。
【課題を解決するための手段】
【０００５】
上記目的を達成するため、本発明のキャップは、薄肉のヒンジを介して繋がる一体成型された一対の揺動部を備えている。そして、前記一対の揺動部には、缶の口金の略半周部分にそれぞれ係合する一対の係合部が形成されるとともに、前記一対の係合部が円形に組み合わされた状態でこれら揺動部同士を固定可能な固定部が形成されている。そして更に、前記ヒンジと前記円形に組み合わされた係合部との間の位置に物品を収容可能に構成されている。
【０００６】
缶に係合する係合部は、薄肉のヒンジを介して繋がる一体成型された一対の揺動部にそれぞれ形成されるので、揺動部を１８０°に開いた形状に成型すれば、十分な大きさの係合部を容易に成型することができる。そして、揺動部を缶側に閉じて一対の係合部が円形に組み合わされた状態とすれば容易に缶に係合させることができる。更に、ヒンジと円形に組み合わされた係合部との間の位置に販促品乃至景品を収容するので、十分な収容スペースを確保することができる。
【０００７】
上記キャップにおいて、前記揺動部は、前記円形に組み合わされた一対の係合部の接合箇所からそれぞれ前記ヒンジまでの間に枠部を備え、この一対の枠部の間に、販促品乃至景品を収容する容器を挟んでなることが望ましい。これにより、販促品乃至景品を見やすい位置に収容することができる。
【発明を実施するための最良の形態】
【０００８】
＜１．キャップの構成＞
図１乃至図３は、本発明の実施形態に係るキャップの構成を示すものである。図１は揺動部１０を開いた状態（Ａ）及び飲料缶側に閉じた状態（Ｂ）を示す断面図である。図２は上記揺動部１０を示す斜視図（Ａ）及びこの揺動部１０に取付けられる容器を示す斜視図（Ｂ）である。図３は飲料缶９０への取付け状態を説明する斜視図である。
【０００９】
このキャップは、薄肉のヒンジ１５を介して繋がる一体成型された一対の揺動部１０を備えている。
【００１０】
＜１−１．揺動部１０＞
図１（Ａ）（Ｂ）及び図２（Ａ）に示すように、揺動部１０は、それぞれ枠部１２と平板部１３を備えている。平板部１３の一方の面には飲料缶９０の口金の略半周部分に係合する係合突起１１が形成されている。枠部１２は平板部１３の他方の面から垂直に立ち上がっており、平板部１３から最も遠い辺にてヒンジ１５を介して一対の枠部１２が繋がっている。
【００１１】
また図２（Ａ）に示すように、平板部１３には、一対の係合突起１１が円形に組み合わされた状態で揺動部１０を互いに固定可能な固定凸部１６及び固定凹部１７が形成されている。固定凸部１６は平板部１３の外周面に突出するように形成されている。固定凹部１７は平板部１３の外周面にＵ字部を突出させることにより形成されている。
【００１２】
これら係合突起１１、固定凸部１６及び固定凹部１７を含む一対の揺動部１０は一体成型されている。特に一対の揺動部１０をつなげているヒンジ１５は、折り曲げ自在な薄肉部として形成されている。このような薄肉部によりヒンジを形成するには、揺動部１０の材質を例えばポリプロピレンとし、薄肉部の厚さを約０．３ｍｍとするのが好ましい。薄肉部の厚さはこれに限らず、薄肉部に所望のばね性乃至変形し易さを与えるよう適宜設定することができる。
【００１３】
ヒンジ１５を介して図１（Ａ）の矢印ａ方向に揺動部１０を揺動させ図１（Ｂ）の状態とすると、係合突起１１が円形に組み合わされた状態となり、このとき平板部１３の接合面１４の真上にヒンジ１５が位置することになる。また、この状態で固定凸部１６と固定凹部１７とが係合できるようになっている。本実施形態では係合突起１１が組み合わされて２つの円が形成され、１つのキャップで２つの飲料缶の口金に係合するようになっている（図２（Ａ）及び図３参照）。
【００１４】
＜１−２．容器＞
図２（Ｂ）に示すように、販促品乃至景品を収納する容器は、販促品乃至景品の外形に合わせた収容凹部を形成したブリスター２０と、販促品乃至景品を収容したブリスター２０の開口を覆う薄板２１からなる。
図３に示すように、このブリスター２０及び薄板２１を上記一対の枠部１２の間に挟むことにより、販促品乃至景品を本実施形態のキャップに保持することができる。なおブリスター２０は、販促品乃至景品の視認性を確保するため透明であることが望ましい。また薄板２１は透明板でも良いし、取扱い説明などを記載した厚紙でも良い。
【００１５】
図４は、容器の別態様を示す斜視図である。この図に示すような収容凹部を形成した２枚１組のブリスター２２を、図２（Ｂ）の容器の代わりに枠部１２に挟むこととしても良い。図２（Ｂ）のブリスター２０及び薄板２１による容器を用いた場合は、図３に示すように販促品乃至景品を縦長に保持するのに適するのに対し、図４のブリスター２２によれば、販促品乃至景品を横長に保持するのに適するものとなる。
【００１６】
＜１−３．組立方法＞
このキャップを飲料缶９０に嵌めるには、まず一対の枠部１２の間に、販促品乃至景品を収容したブリスター２０等を挟み、揺動部１０を閉じる。そして、一対の係合突起１１が円形に組み合わされた状態で固定凸部１６と固定凹部１７とを係合させる。次に、円形に組み合わされた係合突起１１を飲料缶９０の上方から押し込むことにより、係合突起１１が飲料缶９０の口金に係合して図３の状態となる。
【００１７】
本発明の好ましい態様によれば、飲料缶９０の口金に係合突起が係合すると、平板部１３の弾性変形が制限されるので固定凸部１６と固定凹部１７との係合が外れにくくなる。従って図３の状態から缶を外すときは、先に固定凸部１６と固定凹部１７との係合を外すのではなく、円形に組み合わされた係合突起１１から飲料缶９０を外す。
仮に、図３の状態で係合突起１１から飲料缶９０を外す前に、固定凸部１６と固定凹部１７との係合を容易に外せるものとすれば、図３の状態で持ち運び中に固定凸部１６と固定凹部１７との係合が外れ、一度に２本の飲料缶９０が抜け落ちてしまう可能性があり好ましくない。従って、固定凸部１６と固定凹部１７は、平板部１３の弾性変形を伴って係脱するようにこれらの強度及び寸法を設計することが好ましい。
【００１８】
＜２．製造方法＞
このキャップの製造は、図１に示す形状の金型を用いた、通常の射出成型によることができる。特に図１（Ａ）に示すように、揺動部１０の枠部１２を１８０°に開いた状態、すなわち一対の係合突起１１の突出方向を同方向にした状態として成型すれば、図１（Ａ）の図示上下方向からの２パーツの金型で容易に成型することができる。すなわちこれによれば、金型からキャップを取り出す際に係合突起１１が障害にならないので、係合突起１１を十分な大きさにすることができる。なお、固定凹部１７はＵ字状であるので、金型から取り出す際には固定凹部１７も障害にならない。
【００１９】
＜３．本実施形態の効果＞
この容器は、飲料の販促品乃至景品を収容して飲料缶の口金に係合させることで、飲料の販促品乃至景品を飲料とともに提供することができる。
【００２０】
この容器においては、飲料缶９０に係合する係合突起１１は、薄肉のヒンジ１５を介して繋がる一体成型された揺動部１０に形成されるので、揺動部１０を１８０°に開いた形状に成型すれば、十分な大きさの係合部を容易に成型することができる。
【００２１】
更に、係合突起１１の大きさの自由度が高まる。このため、係合すべき飲料缶の口金の大きさが飲料メーカーごとに微妙に異なる場合に、揺動部１０の外形寸法から設計し直さなくても、係合突起１１の大きさを任意に設計できる。従って、缶にぴったり嵌まる容器を容易に設計することができる。
【００２２】
また、ヒンジ１５と円形に組み合わされた係合部１１との間の位置に販促品乃至景品を収容するので、十分な収容スペースを確保することができる。
【００２３】
また、一対の枠部１２の間に、販促品乃至景品を収容する容器２０を挟むことにより、販促品乃至景品を見やすい位置に収容することができる。
【００２４】
＜４．変形例＞
以上好ましい実施形態を説明したが、本発明は以上説明した形状のものに限定されるものではない。例えば図示のものでは係合突起１１による円形部が２つ形成されるため１つのキャップを２つの飲料缶９０に取付けられるが、これに限らず係合突起１１による円形部が１つのみ形成されるものとし１つのキャップを１つの飲料缶９０に取付けるようにしても良い。また、３つ以上の飲料缶９０を取付けるようにしても良い。
【００２５】
また、上記実施形態では平板部１３から枠部１２が立ち上がる形状とし、枠部１２に容器を挟む構成としたが、これに限らず、容器部を含めて一体成型してもよい。例えば図４のブリスター２２のような形状の容器部を平板部１３とともに一体成型してもよい。
【００２６】
また、上記実施形態では飲料缶９０に係合する容器として説明したが、飲料缶に限らず他の種類の缶でもよい。
【図面の簡単な説明】
【００２７】
【図１】本発明の実施形態に係るキャップの揺動部１０を開いた状態（Ａ）及び飲料缶側に閉じた状態（Ｂ）を示す断面図である。
【図２】上記揺動部１０を示す斜視図（Ａ）及びこの揺動部１０に取付けられる容器を示す斜視図（Ｂ）である。
【図３】飲料缶９０への取付け状態を説明する斜視図である。
【図４】上記揺動部１０に取付けられる容器の別態様を示す斜視図である。
【符号の説明】
【００２８】
１１  係合突起（係合部）、１２  枠部、１３  平板部、１４  接合面、１５  ヒンジ、１６  固定凸部（固定部）、１７  固定凹部（固定部）、２０、２２  ブリスター（容器）、２１  薄板、９０  飲料缶（缶）
【図１】
2008265845.tif 000003
【図２】
2008265845.tif 000004
【図３】
2008265845.tif 000005
【図４】
2008265845.tif 000006